(57)【特許請求の範囲】
【請求項１】
機器間通信を支援するシステムでシステム制御局の動作方法において、
端末が基準値より大きいページング周期を支援すると判断した場合、前記端末がシステム一括位置更新登録タイマーを適用されないと判断する過程と、
アイドルモードへの進入を指示し、前記アイドルモード動作中に位置更新を行うための装置固有のタイマーを含むメッセージを生成する過程と、
前記メッセージを前記端末に送信する過程と、を含む
ことを特徴とする方法。
【請求項２】
機器間通信を支援するシステムのシステム制御局の動作方法において、
端末が基準値より大きいページング周期を支援すると判断した場合、前記端末に装置固有のタイマーを適用すると判断する過程と、
アイドルモードへの進入を指示し、前記アイドルモード動作中に位置更新を行うための前記装置固有のタイマーを含むメッセージを生成する過程と、
前記メッセージを前記端末に送信する過程と、を含む
ことを特徴とする方法。
【請求項３】
前記装置固有のタイマーを決定する過程をさらに含む請求項１または請求項２に記載の方法。
【請求項４】
前記装置固有のタイマーを決定する過程は、
前記端末及び基地局のいずれか１つから前記端末の機器間通信特性を示す装置クラス情報を含むメッセージを受信する過程と、
前記装置クラス情報を含み、前記端末のためのタイマー値を要求するメッセージを、ページング制御局に送信する過程と、
前記ページング制御局から前記端末のためのタイマー値を含むメッセージを受信する過程と、を含む
ことを特徴とする請求項３に記載の方法。
【請求項５】
前記装置固有のタイマーを決定する過程は、
機器間通信を管理するサーバに前記端末の機器間通信特性を示す装置クラス情報を要求するメッセージを送信する過程と、
前記サーバから前記装置クラス情報を含むメッセージを受信する過程と、
前記装置クラス情報を含み、前記端末のためのタイマー値を要求するメッセージを、ページング制御局に送信する過程と、
前記ページング制御局から前記端末のためのタイマー値を含むメッセージを受信する過程と、を含む
ことを特徴とする請求項３に記載の方法。
【請求項６】
前記装置固有のタイマーを決定する過程は、
端末及び基地局のいずれか１つから前記端末の機器間通信特性を示す装置クラス情報を含むメッセージを受信する過程と、
前記機器間通信特性を考慮して前記端末のためのタイマー値を決定する過程と、を含む
ことを特徴とする請求項３に記載の方法。
【請求項７】
前記装置固有のタイマーを決定する過程は、
機器間通信を管理するサーバに前記端末の機器間通信特性を示す装置クラス情報を要求するメッセージを送信する過程と、
前記サーバから前記装置クラス情報を含むメッセージを受信する過程と、
前記機器間通信特性を考慮して前記端末のための前記装置固有のタイマーを決定する過程と、を含む
ことを特徴とする請求項３に記載の方法。
【請求項８】
前記端末のタイマーに対する変更が必要であるかを判断する過程と、
前記タイマーの変更が必要であると判断した場合、前記端末にシステム一括位置更新登録タイマーの適用が可能であるかを判断する過程と、
前記システム一括位置更新登録タイマーの適用が可能であると判断した場合、システム一括位置更新登録タイマーを知らせるメッセージを前記端末に送信する過程と、
前記システム一括位置更新登録タイマーの適用が不可であると判断した場合、前記端末のための新しいタイマーを決定し、前記新しいタイマーを知らせるメッセージを前記端末に送信する過程と、をさらに含む
ことを特徴とする請求項１または請求項２に記載の方法。
【請求項９】
前記システム一括位置更新登録タイマーを知らせるメッセージは、前記システム一括位置更新登録タイマーの適用を指示する指示子、及び、前記システム一括位置更新登録タイマーの値の中の１つを含む
ことを特徴とする請求項８に記載の方法。
【請求項１０】
前記システム一括位置更新登録タイマー又は前記新しいタイマーを知らせるメッセージは、前記端末の位置更新登録プロセス中にダウンリンク伝送される位置更新登録応答メッセージである
ことを特徴とする請求項８に記載の方法。
【請求項１１】
機器間通信を支援するシステムで端末の動作方法において、
アイドルモードへの進入を指示し、前記端末のアイドルモード動作中に位置更新を行うための装置固有のタイマーを含むメッセージを受信する過程と、
前記装置固有のタイマーによって位置更新登録プロセスを行う過程と、を含み、
前記位置更新登録プロセス遂行中に、システム一括位置更新登録タイマー又は新しいタイマーを知らせるメッセージを受信する過程と、
前記システム一括位置更新登録タイマーを知らせるメッセージが受信されると、前記システム一括位置更新登録タイマーを適用する過程と、
前記新しいタイマーを知らせるメッセージが受信されると、前記新しいタイマーを適用する過程と、を含む
ことを特徴とする方法。
【請求項１２】
前記システム一括位置更新登録タイマーを知らせるメッセージは、前記システム一括位置更新登録タイマーの適用を指示する指示子、及び、前記システム一括位置更新登録タイマーの値のうち１つを含む
ことを特徴とする請求項１１に記載の方法。
【請求項１３】
前記システム一括位置更新登録タイマー又は前記新しいタイマーを知らせるメッセージは、前記端末の位置更新登録プロセス中にダウンリンク伝送される位置更新登録応答メッセージである
ことを特徴とする請求項１１に記載の方法。
【請求項１４】
機器間通信を支援するシステムにおけるシステム制御局装置において、
端末が基準値より大きいページング周期を支援すると判断した場合、前記端末がシステム一括位置更新登録タイマーを適用されないと判断し、
アイドルモードへの進入を指示し、前記アイドルモード動作中に位置更新を行うための装置固有のタイマーを含むメッセージを生成する制御部と、
前記メッセージを前記端末に送信する送受信部と、を含む
ことを特徴とする装置。
【請求項１５】
機器間通信を支援するシステムにおけるシステム制御局装置において、
端末が基準値より大きいページング周期を支援すると判断した場合、前記端末に装置固有のタイマーを適用すると判断し、
アイドルモードへの進入を指示し、前記アイドルモード動作中に位置更新を行うための前記装置固有のタイマーを含むメッセージを生成する制御部と、
前記メッセージを前記端末に送信する送受信部と、を含む
ことを特徴とする装置。
【請求項１６】
前記制御部は、前記装置固有のタイマーを決定する
ことを特徴とする請求項１４または請求項１５に記載の装置。
【請求項１７】
前記送受信部は、前記端末及び基地局の中の１つから前記端末の機器間通信特性を示す装置等級情報を含むメッセージを受信し、ページング制御局に前記装置等級情報を含み、前記端末のためのタイマー値を要求するメッセージを送信し、前記ページング制御局から前記端末のためのタイマー値を含むメッセージを受信し、
前記制御部は、前記タイマー値に基づいて前記装置固有のタイマーを決定する
ことを特徴とする請求項１６に記載の装置。
【請求項１８】
前記送受信部は、機器間通信を管理するサーバに前記端末の機器間通信特性を示す装置等級情報を要求するメッセージを送信し、前記サーバから前記装置等級情報を含むメッセージを受信し、ページング制御局に前記装置等級情報を含み、前記端末のためのタイマー値を要求するメッセージを送信し、前記ページング制御局から前記端末のためのタイマー値を含むメッセージを受信し、
前記制御部は、前記タイマー値に基づいて前記装置固有のタイマーを決定する
ことを特徴とする請求項１６に記載の装置。
【請求項１９】
前記送受信部は、端末及び基地局の中の１つから前記端末の機器間通信特性を示す装置等級情報を含むメッセージを受信し、
前記制御部は、前記機器間通信特性を考慮して前記端末のための前記装置固有のタイマーを決定する
ことを特徴とする請求項１６に記載の装置。
【請求項２０】
前記送受信部は、機器間通信を管理するサーバに前記端末の機器間通信特性を示す装置等級情報を要求するメッセージを送信し、前記サーバから前記装置等級情報を含むメッセージを受信し、
前記制御部は、前記機器間通信特性を考慮して前記端末のための前記装置固有のタイマーを決定する
ことを特徴とする請求項１６に記載の装置。
【請求項２１】
前記制御部は、前記端末のタイマーに対する変更が必要であるかを判断し、前記タイマーの変更が必要であると判断した場合、前記端末にシステム一括位置更新登録タイマーの適用が可能であるかを判断し、前記システム一括位置更新登録タイマーの適用が可能であると判断した場合、システム一括位置更新登録タイマーを知らせるメッセージを前記端末に送信するように制御し、前記システム一括位置更新登録タイマーの適用が不可であると判断した場合、前記端末のための新しいタイマーを決定し、前記新しいタイマーを知らせるメッセージを前記端末に送信するように制御する
ことを特徴とする請求項１４または請求項１５に記載の装置。
【請求項２２】
前記システム一括位置更新登録タイマーを知らせるメッセージは、前記システム一括位置更新登録タイマーの適用を指示する指示子、及び、前記システム一括位置更新登録タイマーの値の中の１つを含む
ことを特徴とする請求項２１に記載の装置。
【請求項２３】
前記システム一括位置更新登録タイマー又は前記新しいタイマーを知らせるメッセージは、前記端末の位置更新登録プロセス中にダウンリンク伝送される位置更新登録応答メッセージである
ことを特徴とする請求項２１に記載の装置。
【請求項２４】
機器間通信を支援するシステムにおける端末装置において、
アイドルモードへの進入を指示し、端末のアイドルモード動作中に位置更新を行うための装置固有のタイマーを含むメッセージを受信する送受信部と、
前記装置固有のタイマーによって位置更新登録手順を行う制御部と、を含み、
前記送受信部は、前記位置更新登録手順遂行中に、システム一括位置更新登録タイマー又は新しいタイマーを知らせるメッセージを受信し、
前記制御部は、前記システム一括位置更新登録タイマーを知らせるメッセージが受信されると、前記システム一括位置更新登録タイマーを適用し、前記新しいタイマーを知らせるメッセージが受信されると、前記新しいタイマーを適用する
ことを特徴とする装置。
【請求項２５】
前記システム一括位置更新登録タイマーを知らせるメッセージは、前記システム一括位置更新登録タイマーの適用を指示する指示子、及び、前記システム一括位置更新登録タイマーの値の中の１つを含む
ことを特徴とする請求項２４に記載の装置。
【請求項２６】
前記システム一括位置更新登録タイマー又は前記新しいタイマーを知らせるメッセージは、前記端末の位置更新登録プロセス中にダウンリンク伝送される位置更新登録応答メッセージである
ことを特徴とする請求項２４に記載の装置。
【発明の詳細な説明】
【技術分野】
【０００１】
本発明は、機器間通信を支援するシステムに関する。特に、本発明は機器間通信システムで端末のアイドルモード（ｉｄｌｅ  ｍｏｄｅ）動作に必要な位置更新登録プロセスを支援するための装置及び方法に関する。
【背景技術】
【０００２】
人間の直接制御（Ｈｕｍａｎ  Ｉｎｔｅｒａｃｔｉｏｎ）がない、または制限された場合に機器（Ｄｅｖｉｃｅ）間データ通信を支援する機器間通信（Ｍ２Ｍ  Ｃｏｍｍｕｎｉｃａｔｉｏｎ：Ｍａｃｈｉｎｅ  ｔｏ  Ｍａｃｈｉｎｅ  Ｃｏｍｍｕｎｉｃａｔｉｏｎ）サービスに対する研究が進められている。機器間通信サービスは自動制御及び通信を介して機器を管理する費用を低減する側面から脚光を浴びており、車両及び車両に搭載された物品の自動化管理（Ｆｌｅｅｔ  Ｍａｎａｇｅｍｅｎｔ）、スマートメータリング（Ｓｍａｒｔ  Ｍｅｔｅｒｉｎｇ）、ホームオートメーション（Ｈｏｍｅ  Ａｕｔｏｍａｔｉｏｎ）、ヘルスケア（Ｈｅａｌｔｈ  Ｃａｒｅ）などで適用できる技術と認識されている。
【０００３】
前記機器間通信を支援する機器間通信システムでは一般的な通信システムの端末と異なって限定的なデータを制限された時間に限って送受信する機器を支援する場合を考慮すべきである。例えば、スマートメータリングを行う機器は１ケ月に１回のみ測定した数値をスマートメータリングサーバに伝送することができ、ヘルスケアを行う機器は一日に１回のみヘルスケアサーバからヘルスケア情報をアップデートできる。
【０００４】
このような機器は大半の時間をアイドルモードで動作することになるため、従来の無線通信システムで定義したアイドルモードプロセスを適用できる。しかし、上述のようにデータ送受信回数が頻繁ではない機器に従来の端末に適用するページング周期（Ｐａｇｉｎｇ  Ｃｙｃｌｅ）を適用することは非効率的である。また、従来の無線通信システムで長いページング周期は定義されていないため、定義することが必要である。
【０００５】
また、従来の無線通信システムのアイドルモードで使用する時間ベースの位置更新登録プロセスも前記機器間通信システムに適用できるが、前記機器の固有の特性を考慮して適用する必要がある。特に、従来の位置更新登録タイマーを運用する方式は、アイドルモードにある端末に対して同じ値を適用するものであるため、機器間通信システムのように長いページング周期を有する機器に上記した同じ位置更新登録タイマーを適用した場合、端末は受信するデータが無い場合も位置更新登録を行うために頻繁にウェイクアップしなければならない。このような位置更新登録プロセスは相当な制御シグナルオーバーヘッドと機器の電力消耗を招き得る。したがって、上記のようにデータ送受信回数が頻繁ではない機器間通信サービスを考慮した位置更新登録プロセスを定義する必要がある。
【発明の概要】
【発明が解決しようとする課題】
【０００６】
本発明の目的は、上述した問題点及び短所を解決するためのもので、次のような利点のうち少なくとも１つを提供する。したがって、本発明の目的は、機器間通信システムで端末のアイドルモード動作に使用される位置更新登録プロセスを支援するための装置及び方法を提供することにある。
【０００７】
本発明の他の目的は、機器間通信システムで長いページング周期を用いてアイドルモードを運用する端末のための新しい位置更新登録タイマーを定義するための装置及び方法を提供することにある。
【０００８】
本発明のさらに他の目的は、機器間通信システムで長いページング周期を用いてアイドルモードを運用する端末に対してアイドルモードに使用される位置更新登録プロセスに使用する時間ベースの位置更新登録タイマーをネゴシエーションするための装置及び方法を提供することにある。
【０００９】
本発明のさらに他の目的は、機器間通信システムで端末の位置更新登録プロセス の制御シグナルオーバーヘッドと機器の電力消耗を減少させるための装置及び方法を提供することにある。
【課題を解決するための手段】
【００１０】
上述した目的を達成するための本発明の第１見地によれば、機器間通信を支援するシステムでシステム制御局の動作方法は、端末がシステム一括位置更新登録タイマーを適用されるか否かを判断する過程と、前記一括位置更新登録タイマーが適用されないと判断した場合、前記端末がアイドルモード動作中に位置更新を行うためのタイマーを決定する過程と、前記タイマーを含むメッセージを前記端末に送信する過程と、を含むことを特徴とする。
【００１１】
本発明の第２見地によれば、機器間通信を支援するシステムで端末の動作方法は、前記端末のアイドルモード動作中に位置更新を行うためのタイマーを含むメッセージを受信する過程と、前記受信されたタイマーによって位置更新登録プロセスを行う過程と、を含むことを特徴とする。
【００１２】
本発明の第３見地によれば、機器間通信を支援するシステムでシステム制御局装置は、端末がシステム一括位置更新登録タイマーを適用されるか否かを判断し、前記一括位置更新登録タイマーが適用されないと判断した場合、前記端末がアイドルモード動作中に位置更新を行うためのタイマーを決定する制御部と、前記タイマーを含むメッセージを前記端末に送信する送受信部と、を含むことを特徴とする。
【００１３】
本発明の第４見地によれば、機器間通信を支援するシステムで端末装置は、前記端末のアイドルモード動作中に位置更新を行うためのタイマーを含むメッセージを受信する送受信部と、前記受信されたタイマーによって位置更新登録プロセスを行う制御部と、を含むことを特徴とする。
【００１４】
本発明の他の見地、利益、主な特徴は以下に添付の本発明の実施形態及び図面と共に説明される詳細な説明から当業者に明白に認識されるであろう。
【００１５】
本発明の実施形態による本発明の上述した見地（ａｓｐｅｃｔ）及び他の見地、特徴、利益は次の図面と共に説明される詳細な説明から明白に認識されるであろう。
図面において、参照符号は同一または類似の要素、特徴、構造を説明するために用いられる。
【図面の簡単な説明】
【００１６】
【図１】本発明の実施形態による機器間通信を支援する機器間通信システムの構成を示す図である。
【図２】本発明の実施形態による機器間通信システムの装置登録プロセスで端末の時間ベースの位置更新登録タイマーを制御するシステム制御局の動作方法を示したフローチャートである。
【図３】本発明の実施形態による機器間通信システムの装置登録プロセスで位置更新登録タイマーを処理する端末の動作方法を示したフローチャートである。
【図４】本発明の実施形態による機器間通信システムのアイドルモードネゴシエーションプロセスで端末の位置更新登録タイマーを制御するシステム制御局の動作方法を示したフローチャートである。
【図５】本発明の実施形態による機器間通信システムでアイドルモードネゴシエーションプロセスで位置更新登録タイマーを処理する端末の動作方法を示したフローチャートである。
【図６】本発明の実施形態による機器間通信システムのアイドルモードで端末の変更された位置更新登録タイマーを制御するシステム制御局の動作方法を示したフローチャートである。
【図７】本発明の実施形態による機器間通信システムのアイドルモードで変更された位置更新登録タイマーを処理する端末の動作方法を示したフローチャートである。
【図８】本発明の実施形態による機器間通信システムの装置登録プロセスで端末の時間ベースの位置更新登録タイマーを処理する方法を示した信号フローチャートである。
【図９】本発明の他の実施形態による機器間通信システムのアイドルモードネゴシエーションプロセスで端末の時間ベースの位置更新登録タイマーを処理する方法を示した信号フローチャートである。
【図１０】本発明のさらに他の実施形態による機器間通信システムの装置登録プロセスで端末の時間ベースの位置更新登録タイマーを処理する方法を示した信号フローチャートである。
【図１１】本発明のさらに他の実施形態による機器間通信システムのアイドルモードネゴシエーションプロセスで端末の時間ベースの位置更新登録タイマーを処理する方法を示した信号フローチャートである。
【発明を実施するための形態】
【００１７】
以下、図面を参考した説明は特許請求の範囲及びこれと同等なものによって定義される本発明の実施形態の包括的な理解を助けるために提供される。以下の説明は理解を助けるために様々な具体的な細部事項を含むが、例示として扱われるだけである。したがって、本発明の思想や範囲から逸脱しない限度内で実施形態の様々な変形及び修正が可能であることは無論である。また、周知の機能及び構造の説明は明確性のために省略される。
【００１８】
以下、本発明は機器間通信システムで機器のアイドルモードで動作中に時間ベースの位置更新登録プロセスを支援する方法について説明する。
【００１９】
以下、説明の便宜のために、本発明は前記機器を端末と称する。また、以下の説明で、本発明は前記端末のアイドルモードで使用する位置更新登録プロセスの遂行に必要なタイマーを管理するネットワークエンティティ（ｎｅｔｗｏｒｋ  ｅｎｔｉｔｙ）をシステム制御局（ｓｙｓｔｅｍ  ｃｏｎｔｒｏｌｌｅｒ）と称する。しかし、前記システム制御局は「ページング制御局（ｐａｇｉｎｇ  ｃｏｎｔｒｏｌｌｅｒ）」と称することもある。
【００２０】
図１は、本発明の実施形態による機器間通信を支援する機器間通信システムの構成を示す図である。
【００２１】
図１を参照すると、機器間通信システムは機器間通信を支援するＭ２Ｍ機器（Ｍ２Ｍ  ｄｅｖｉｃｅ）１０１−１、１０１−２、１０１−３と、機器間通信を支援するＭ２Ｍ  ＡＳＮ（Ｍ２Ｍ  Ａｃｃｅｓｓ  Ｓｅｒｖｉｃｅ  Ｎｅｔｗｏｒｋ）１０２と、前記Ｍ２Ｍ  ＡＳＮ１０２の一部であって、前記Ｍ２Ｍ機器１０１−１、１０１−２、１０１−３の無線接続を提供するＡＰ（Ａｃｃｅｓｓ  Ｐｏｉｎｔ）１０３と、機器間通信を支援するＭ２Ｍ連結サービスネットワーク（Ｍ２Ｍ  ＣＳＮ：Ｍ２Ｍ  Ｃｏｎｎｅｃｔｉｏｎ  Ｓｅｒｖｉｃｅ  Ｎｅｔｗｏｒｋ）１０４と、機器間通信を支援するＭ２Ｍサーバ（Ｍ２Ｍ  Ｓｅｒｖｅｒ）１０５と、を含む。
【００２２】
前記Ｍ２Ｍ機器１０１−１、１０１−２、１０１−３は機器間通信に使用される応用プログラムが搭載された端末である。前記ＡＳＮ１０２は前記Ｍ２Ｍ機器１０１−１、１０１−２、１０１−３と前記Ｍ２Ｍサーバ１０５の間の通信に必要な無線ＡＰを提供し、前記ＡＰ１０３は前記Ｍ２Ｍ機器１０１−１、１０１−２、１０１−３と前記Ｍ２Ｍサーバ１０５の間の通信に使用される無線リソースを制御する基地局である。前記Ｍ２Ｍ連結サービスネットワーク１０４は前記Ｍ２Ｍ機器１０１−１、１０１−２、１０１−３にユーザ側連結サービスを提供する。前記Ｍ２Ｍサーバ１０５は１つ又は複数のＭ２Ｍ機器１０１−１、１０１−２、１０１−３と通信を行う装置であって、機器間通信に必要な応用プログラムが搭載されユーザが接続できるインタフェースを備えている。前記Ｍ２Ｍサーバ１０５はシステム運用によっては前記Ｍ２Ｍ連結サービスネットワーク１０４に含まれ得る。
【００２３】
前記機器間通信システムでＭ２Ｍ機器１０１−１、１０１−２、１０１−３及びＡＰ１０３間の無線インタフェースとして、ＩＥＥＥ８０２．１６通信システム規格が適用できる。この場合、前記Ｍ２Ｍ機器１０１−１、１０１−２、１０１−３は前記ＩＥＥＥ８０２．１６通信システムに定義された端末（ｍｏｂｉｌｅ  ｓｔａｔｉｏｎ）の動作を行うことができる。
【００２４】
図２は、本発明の実施形態による機器間通信システムの装置登録プロセスで端末の時間ベースの位置更新登録タイマーを制御するシステム制御局の動作方法を示したフローチャートである。ここで、本発明によるシステム制御局は、位置更新登録タイマー制御部、送信部及び受信部を含んで構成される。
【００２５】
図２を参照すると、システム制御局はステップ２０１で端末の装置登録プロセス、すなわち、ネットワークエントリプロセスを開始する。
【００２６】
その後、前記システム制御局はステップ２０５で前記端末がアイドルモードを支援する装置であるかを判断する。
【００２７】
前記ステップ２０５で、前記端末がアイドルモードを支援しない装置であると判断した場合、前記システム制御局はステップ２１１で残りの装置登録プロセスを行って前記端末の装置登録プロセスを終了した後、本プロセスを終了する。
【００２８】
一方、前記ステップ２０５で、前記端末がアイドルモードを支援する装置であると判断した場合、前記システム制御局はステップ２０７で前記端末が長いページング周期を支援する装置であるかを判断する。すなわち、前記端末のページング周期を確認して、前記確認された端末のページング周期が基準値より長いかをチェックする。ここで、前記端末が長いページング周期を支援するということは、従来技術による通信システムで定義されるページング周期の最長値を前記端末に適用しても前記端末の電力消耗が効率的でないため、従来技術によって定義される値のページング周期ではなく他の値のページング周期を適用しなければならず、本発明の実施形態で考慮されるページング周期は基準値より長い値（例えば、１日、１週間、１ケ月など）を持つということである。ここで、端末が長いページング周期を支援するか否かに対する情報は、前記端末の装置クラス（ｄｅｖｉｃｅ  ｃｌａｓｓ）や予め設定された装置特性を獲得することによって把握する。
【００２９】
前記ステップ２０７で、前記端末が長いページング周期を支援する装置であると判断した場合、前記システム制御局はステップ２０９で前記端末が加入したサービス（例えば、Ｍ２Ｍサービス）の特性に基づき、前記端末がアイドルモードで行う時間ベースの位置更新登録プロセスで使用するタイマーとして前記端末に適した時間ベースの位置更新登録タイマーを決定して適用し、前記端末に前記決められた時間ベースの位置更新登録タイマーを伝送した後、前記ステップ２１１に進んで以下のステップを行う。また、前記システム制御局は前記端末が加入したサービス（例えば、Ｍ２Ｍサービス）の特性に基づいて前記端末のページング周期を設定する。ここで、前記時間ベースの位置更新登録プロセスは、前記端末がアイドルモード状態で周期的に位置更新登録プロセスを行うことを意味し、前記周期は前記時間ベースの位置更新登録タイマーに従う。
【００３０】
一方、前記時間ベースの位置更新登録タイマー情報は端末が装置登録プロセスで受信する登録応答メッセージ（Ｒｅｇｉｓｔｒａｔｉｏｎ  Ｒｅｓｐｏｎｓｅ  Ｍｅｓｓａｇｅ）に含まれることができ、構造の例示は下記表１のとおりである。前記登録応答メッセージは基地局から端末に伝送するメッセージであって、システム制御局は他の制御メッセージを用いて基地局に前記時間ベースの位置更新登録タイマー情報を提供する。
【００３１】
【表１】
0006049086.tif 000002
【００３２】
また、前記時間ベースの位置更新登録タイマー情報はシステム制御局によって端末のために管理され、構造の例示は表２のとおりである。
【００３３】
【表２】
0006049086.tif 000003
【００３４】
一方、前記ステップ２０７で、前記端末が長いページング周期を支援しない装置であると判断した場合、すなわち長いページング周期を支援する必要のない装置であると判断した場合、前記システム制御局はステップ２１３で前記端末がアイドルモードで行う時間ベースの位置更新登録プロセスで使用するタイマーとしてシステムで一括(globally)適用する時間ベースの位置更新登録タイマーを決定して適用した後、前記ステップ２１１に進んで以下のステップを行う。ここで、前記システムで一括適用する時間ベースの位置更新登録タイマーは、別途の制御メッセージなしでアイドルモードを支援する一般的な端末装置に予め設定される値であって、機器間通信を支援する端末にも適用するデフォルト位置更新登録タイマーに該当する。
【００３５】
図３は、本発明の実施形態による機器間通信システムの装置登録プロセスで位置更新登録タイマーを処理する端末の動作方法を示したフローチャートである。ここで、本発明による端末は位置更新登録タイマー処理部、送信部及び受信部を含んで構成される。
【００３６】
図３を参照すると、端末はステップ３０１で装置登録プロセス、すなわち、ネットワークエントリプロセスを開始する。
【００３７】
その後、前記端末はステップ３０３で端末自身がアイドルモードを支援するか否かを判断する。
【００３８】
前記ステップ３０３で、端末がアイドルモードを支援しないと判断した場合、前記端末はステップ３０９で残りの装置登録プロセスを行って装置登録プロセスを終了した後、本プロセスを終了する。
【００３９】
一方、前記ステップ３０３で、端末がアイドルモードを支援すると判断した場合、前記端末はステップ３０５で時間ベースの位置更新登録タイマーが受信されたか否かをチェックする。ここで、前記時間ベースの位置更新登録タイマー情報は端末が装置登録プロセスで受信する登録応答メッセージに含まれることができ、構造の例示は上記表１のとおりである。
【００４０】
前記ステップ３０５で、時間ベースの位置更新登録タイマーが受信されたと判断した場合、前記端末はステップ３０７で前記端末がアイドルモードで行う時間ベースの位置更新登録プロセスで使用するタイマーとして前記受信された時間ベースの位置更新登録タイマーを適用し、前記ステップ３０９に進んで以下のステップを行う。言い換えると、前記タイマーが満了した場合、前記端末は位置更新プロセスを行う。
【００４１】
一方、前記ステップ３０５で、時間ベースの位置更新登録タイマーが受信されていないと判断した場合、前記端末はステップ３１１で前記端末がアイドルモードで行う時間ベースの位置更新登録プロセスで使用するタイマーとしてシステムで一括適用する時間ベースの位置更新登録タイマーを適用し、前記ステップ３０９に進んで以下のステップを行う。ここで、前記システムで一括適用する時間ベースの位置更新登録タイマーは、別途の制御メッセージなしで前記端末に予め設定されているデフォルト位置更新登録タイマーに該当する。
【００４２】
以上では装置登録プロセス中に端末がアイドルモードで使用する位置更新登録タイマーを決定する方法について説明した。他の実施形態によって前記位置更新登録タイマーは装置登録プロセスではなく端末がアイドルモードに進入するためにアイドルモードネゴシエーションプロセスを行う途中で決定され得る。次いで、図４と図５を参照して端末がアイドルモードネゴシエーションプロセスを行う途中で位置更新登録タイマーを決定する方法について説明する。
【００４３】
図４は、本発明の実施形態による機器間通信システムのアイドルモードネゴシエーションプロセスで端末の位置更新登録タイマーを制御するシステム制御局の動作方法を示したフローチャートである。
【００４４】
図４を参照すると、システム制御局はステップ４０１で端末のアイドルモードネゴシエーションプロセスを開始する。
【００４５】
その後、前記システム制御局はステップ４０３で前記端末が長いページング周期を支援する装置であるかを判断する。
【００４６】
前記ステップ４０３で、前記端末が長いページング周期を支援する装置であると判断した場合、前記システム制御局はステップ４０５で前記端末が加入したサービス（例えば、Ｍ２Ｍサービス）の特性に基づき、前記端末がアイドルモードで行う時間ベースの位置更新登録プロセスで使用するタイマーとして前記端末に適した時間ベースの位置更新登録タイマーを決定して適用し、前記端末に前記決められた時間ベースの位置更新登録タイマーを伝送する。また、前記システム制御局は前記端末が加入したサービス（例えば、Ｍ２Ｍサービス）の特性に基づいて前記端末のページング周期を設定する。ここで、前記時間ベースの位置更新登録タイマー情報は端末がアイドルモードネゴシエーションプロセスで受信するアイドルモード進入応答メッセージに含まれることができ、構造の例示は表１のとおりである。前記アイドルモード進入応答メッセージは基地局から端末に伝送するメッセージであり、システム制御局は他の制御メッセージを用いて基地局に前記時間ベースの位置更新登録タイマー情報を提供する。前記アイドルモード進入応答メッセージは「ＤＲＥＧ−ＲＳＰ（Ｄｅ−Ｒｅｇｉｓｔｒａｔｉｏｎ  Ｒｅｓｐｏｎｓｅ）メッセージ」又は「ＤＲＥＧ−ＣＭＤ（Ｄｅ−Ｒｅｇｉｓｔｒａｔｉｏｎ  Ｃｏｍｍａｎｄ）メッセージ」と称する場合がある。
【００４７】
その後、前記システム制御局はステップ４０７で残りのアイドルモードネゴシエーションプロセスを行って前記端末のアイドルモードネゴシエーションプロセスを終了した後、本プロセスを終了する。
【００４８】
一方、前記ステップ４０３で、前記端末が長いページング周期を支援しない装置であると判断した場合、すなわち長いページング周期を支援する必要のない装置であると判断した場合、前記システム制御局はステップ４０９で前記端末がアイドルモードで行う時間ベースの位置更新登録プロセスで使用するタイマーとしてシステムで一括適用する時間ベースの位置更新登録タイマーを決定して適用した後、前記ステップ４０７に進んで以下のステップを行う。ここで、前記システムで一括適用する時間ベースの位置更新登録タイマーは、別途の制御メッセージなしでアイドルモードを支援する一般的な端末装置に予め設定される値であって、機器間通信を支援する端末にも適用するデフォルト位置更新登録タイマーに該当する。
【００４９】
図５は、本発明の実施形態による機器間通信システムでアイドルモードネゴシエーションプロセスで位置更新登録タイマーを処理する端末の動作方法を示したフローチャートである。
【００５０】
図５を参照すると、端末はステップ５０１でアイドルモードネゴシエーションプロセスを開始する。
【００５１】
前記端末はステップ５０３で時間ベースの位置更新登録タイマーが受信されたか否かをチェックする。ここで、前記時間ベースの位置更新登録タイマー情報は端末がアイドルモードネゴシエーションプロセスで受信するアイドルモード進入応答メッセージ（Ｄｅ−Ｒｅｇｉｓｔｒａｔｉｏｎ  Ｒｅｓｐｏｎｓｅ  Ｍｅｓｓａｇｅ）に含まれることができ、構造の例示は表１のとおりである。
【００５２】
前記ステップ５０３で、時間ベースの位置更新登録タイマーが受信されたと判断した場合、前記端末はステップ５０５で前記端末がアイドルモードで行う時間ベースの位置更新登録プロセスで使用するタイマーとして前記受信された時間ベースの位置更新登録タイマーを適用する。言い換えると、前記タイマーが満了した場合、前記端末は位置更新プロセスを行う。
【００５３】
その後、前記端末はステップ５０７で残りのアイドルモードネゴシエーションプロセスを行ってアイドルモードネゴシエーションプロセスを終了した後、本プロセスを終了する。
【００５４】
一方、前記ステップ５０３で、時間ベースの位置更新登録タイマーが受信されていないと判断した場合、前記端末はステップ５０９で前記端末がアイドルモードで行う時間ベースの位置更新登録プロセスで使用するタイマーとしてシステムで一括適用する時間ベースの位置更新登録タイマーを適用し、前記ステップ５０７に進んで以下のステップを行う。ここで、前記システムで一括適用する時間ベースの位置更新登録タイマーは、別途の制御メッセージなしで前記端末に予め設定されているデフォルト位置更新登録タイマーに該当する。
【００５５】
図６は、本発明の実施形態による機器間通信システムのアイドルモードで端末の変更された位置更新登録タイマーを制御するシステム制御局の動作方法を示したフローチャートである。
【００５６】
図６を参照すると、システム制御局はステップ６０１でアイドルモードで動作する端末の位置更新登録プロセスを開始する。
【００５７】
その後、前記システム制御局はステップ６０３で前記端末の時間ベースの位置更新登録タイマーの変更が必要であるかをチェックする。前記時間ベースの位置更新登録タイマーの変更が必要な場合は、前記端末がページング周期の変更を要求する、または前記シシステム制御局の判断によって前記端末のページング周期を変更するケースに当たる。前記端末のページング周期が現在適用中のページング周期より長くなる、または短くなる場合、該当ページング周期に合わせて前記端末固有の時間ベースの位置更新登録タイマーをさらに長くする、もしくは短く適用させることができ、または、システムで一括適用する時間ベースの位置更新登録タイマーを適用させることができる。
【００５８】
前記ステップ６０３で、前記端末の時間ベースの位置更新登録タイマーの変更が不要であると判断した場合、前記システム制御局はステップ６０９で残りの位置更新登録プロセスを行って位置更新登録プロセスを行った後、本プロセスを終了する。
【００５９】
一方、前記ステップ６０３で、前記端末の時間ベースの位置更新登録タイマーの変更が必要であると判断した場合、前記システム制御局はステップ６０５で前記端末固有の時間ベースの位置更新登録タイマーを除去し前記端末にシステムで一括適用する時間ベースの位置更新登録タイマーを適用できるかをチェックする。
【００６０】
前記ステップ６０５で、前記端末固有の時間ベースの位置更新登録タイマーを除去し前記端末にシステムで一括適用する時間ベースの位置更新登録タイマーを適用できると判断した場合、前記システム制御局はステップ６０７で前記端末がアイドルモードで行う時間ベースの位置更新登録プロセスで使用するタイマーとしてシステムで一括適用する時間ベースの位置更新登録タイマーを決定して適用し、前記端末にシステムで一括適用する時間ベースの位置更新登録タイマーの適用を指示する時間ベースの位置更新登録タイマー適用指示子を伝送する。ここで、前記時間ベースの位置更新登録タイマー適用指示子情報は、端末が位置更新登録プロセスで受信する位置更新登録応答メッセージに含まれることができ、構造の例示は下記表３のとおりである。
【００６１】
【表３】
0006049086.tif 000004
【００６２】
又は他の方法として、前記システム制御局は端末に、前記時間ベースの位置更新登録タイマー適用指示子の代りに、システムで一括適用する時間ベースの位置更新登録タイマーを伝送できる。ここで、前記システムで一括適用する時間ベースの位置更新登録タイマー情報は、端末が位置更新登録プロセスで受信する位置更新登録応答メッセージに含まれることができ、構造の例示は下記表４のとおりである。
【００６３】
【表４】
0006049086.tif 000005
【００６４】
ここで、上記表３又は表４の情報を含む位置更新登録応答メッセージは基地局から端末に伝送される制御メッセージであり、システム制御局は他の制御メッセージを用いて基地局に上記表３又は表４の情報を端末に提供するように指示する。
【００６５】
その後、前記システム制御局はステップ６０９で残りの位置更新登録プロセスを行って位置更新登録プロセスを終了した後、本プロセスを終了する。
【００６６】
一方、前記ステップ６０５で、前記端末にシステムで一括適用する時間ベースの位置更新登録タイマーを適用できないと判断した場合、前記システム制御局はステップ６１１で前記端末が加入したサービス（例えば、Ｍ２Ｍサービス）の特性に基づき、前記端末がアイドルモードで行う時間ベースの位置更新登録プロセスで使用するタイマーとして前記端末に適した新しい時間ベースの位置更新登録タイマーを決定して適用し、前記端末に前記決められた新しい時間ベースの位置更新登録タイマーを伝送した後、前記ステップ６０９に進んで以下のステップを行う。ここで、前記新しい時間ベースの位置更新登録タイマー情報は、端末が位置更新登録プロセスで受信する位置更新登録応答メッセージに含まれることができ、構造の例示は上記表１のとおりである。前記位置更新登録応答メッセージは基地局から端末に伝送される制御メッセージであり、システム制御局は他の制御メッセージを用いて基地局に前記新しい時間ベースの位置更新登録タイマー情報を端末に提供するように指示する。
【００６７】
図７は、本発明の実施形態による機器間通信システムのアイドルモードで変更された位置更新登録タイマーを処理する端末の動作方法を示したフローチャートである。
【００６８】
図７を参照すると、端末はステップ７０１でアイドルモードのスリープ区間で動作し、ステップ７０３で位置更新登録プロセスの遂行時点であるかをチェックする。前記位置更新登録プロセスは前記端末が自らの属するページンググループから離れた場合、時間ベースの位置更新登録タイマーが満了した場合などシステムで設定した条件に合致する場合及び端末で任意に設定した条件に合致する場合に行うことができる。
【００６９】
前記ステップ７０３で、位置更新登録プロセスの遂行時点ではないと判断した場合、前記端末は前記ステップ７０１に戻り、以下のステップを繰り返し行う。
【００７０】
一方、前記ステップ７０３で、位置更新登録プロセスの遂行時点であると判断した場合、前記端末はステップ７０５でアイドルモードのスリープ区間から離れて位置更新登録プロセスを開始する。
【００７１】
その後、前記端末はステップ７０７でシステムで一括適用する時間ベースの位置更新登録タイマーの適用を指示する時間ベースの位置更新登録タイマー適用指示子が受信されたか否かをチェックする。ここで、前記時間ベースの位置更新登録タイマー適用指示子情報は、端末が位置更新登録プロセスで受信する位置更新登録応答メッセージに含まれることができ、上記表３の構造を有する。又は、他の方法として、前記時間ベースの位置更新登録タイマー適用指示子情報の代りに、システムで一括適用する時間ベースの位置更新登録タイマー情報が受信されることができる。ここで、前記システムで一括適用する時間ベースの位置更新登録タイマー情報は、端末が位置更新登録プロセスで受信する位置更新登録応答メッセージに含まれることができ、上記表４の構造を有する。
【００７２】
前記ステップ７０７で、システムの時間ベースの位置更新登録タイマー適用指示子が受信されたと判断した場合、前記端末はステップ７０９で前記端末がアイドルモードで行う時間ベースの位置更新登録プロセスで使用するタイマーとして前記受信されたシステムで一括適用する時間ベースの位置更新登録タイマーを適用し、ステップ７１１に進んで残りの位置更新登録プロセスを行って位置更新登録プロセスを終了した後、ステップ７１３に進む。その後、前記端末は前記ステップ７１３でアイドルモードのスリープ区間に遷移した後、本プロセスを終了する。
【００７３】
一方、前記ステップ７０７で、システムの時間ベースの位置更新登録タイマー適用指示子が受信されていないと判断した場合、前記端末はステップ７１５で新しい時間ベースの位置更新登録タイマーが受信されたか否かをチェックする。ここで、前記新しい時間ベースの位置更新登録タイマー情報は、端末が位置更新登録プロセスで受信する位置更新登録応答メッセージに含まれることができ、上記表１の構造を有する。
【００７４】
前記ステップ７１５で、新しい時間ベースの位置更新登録タイマーが受信されたと判断した場合、前記端末はステップ７１７で前記端末がアイドルモードで行う時間ベースの位置更新登録プロセスで使用するタイマーとして前記受信された新しい時間ベースの位置更新登録タイマーを適用し、前記ステップ７１１に進んで以下のステップを行う。
【００７５】
一方、前記ステップ７１５で、新しい時間ベースの位置更新登録タイマーが受信されていないと判断した場合、前記端末は前記端末がアイドルモードで行う時間ベースの位置更新登録プロセスで使用するタイマーとして現在使用中の位置更新登録タイマーを引き続き適用し、前記ステップ７１１に即座に進んで以下のステップを行う。
【００７６】
図８は、本発明の実施形態による機器間通信システムの装置登録プロセスで端末の時間ベースの位置更新登録タイマーを処理する方法を示した信号フローチャートである。
【００７７】
図８を参照すると、端末８００は基地局８４０に信号を伝送して前記基地局８４０に対して同期を獲得し（ステップ８０１）、前記基地局８４０にレンジング要求メッセージを伝送し（ステップ８０３）、前記レンジング要求メッセージを受信した基地局８４０は前記端末８００にレンジング応答メッセージを伝送する（ステップ８０５）。
【００７８】
その後、前記レンジング応答メッセージを受信した端末８００は前記基地局８４０に装置クラス情報を含むＳＢＣ（Ｓｕｂｓｃｒｉｂｅ  ｓｔａｔｉｏｎ  Ｂａｓｉｃ  Ｃａｐａｂｉｌｉｔｙ）要求メッセージを伝送する（ステップ８０７）。ここで、前記装置クラス情報は前記端末８００の機器間通信特性を表す。前記ＳＢＣ要求メッセージを受信した基地局８４０はシステム制御局８５０に前記装置クラス情報を含む端末事前登録要求（ＲＥＧ−ＲＥＱ：Ｒｅｇｉｓｔｒａｔｉｏｎ  Ｒｅｑｕｅｓｔ）メッセージを伝送する（ステップ８０９）。ここで、前記システム制御局８５０はＡＳＮゲートウェイ（ＡＳＮ−ＧＷ）であるとともに、リレイページング制御局（ｒｅｌａｙ  ＰＣ）に該当する。
【００７９】
その後、前記端末事前登録要求メッセージを受信したシステム制御局８５０は前記基地局８４０に端末事前登録応答メッセージを伝送し（ステップ８１１）、前記端末事前登録応答メッセージを受信した基地局８４０は前記端末８００にＳＢＣ応答メッセージを伝送する（ステップ８１３）。
【００８０】
また、前記システム制御局８５０はページング制御局８６０に位置更新登録タイマー要求メッセージを伝送して前記端末８００の装置クラスに適した位置更新登録タイマー情報を要求する（ステップ８１５）。ここで、前記ページング制御局８６０はアンカーページング制御局（ａｎｃｈｏｒ  ＰＣ）に該当する。前記位置更新登録タイマー要求メッセージを受信したページング制御局８６０は前記システム制御局８５０に前記端末８００に該当する位置更新登録タイマー情報を含む位置更新登録タイマー応答メッセージを伝送する（ステップ８１７）。
【００８１】
一方、前記ＳＢＣ応答メッセージを受信した端末８００は基地局８４０及びシステム制御局８５０との認証プロセスを行って（ステップ８１９）、前記基地局８４０に登録要求メッセージを伝送する（ステップ８２１）。前記登録要求メッセージを受信した基地局８４０は前記システム制御局８５０に端末登録要求メッセージを伝送し（ステップ８２３）、前記端末登録要求メッセージを受信したシステム制御局８５０は前記基地局８４０に前記端末８００に対する位置更新登録タイマー情報を含む端末登録応答メッセージを伝送する（ステップ８２５）。前記端末登録応答メッセージを受信した基地局８４０は前記端末８００に前記位置更新登録タイマー情報を含む登録応答メッセージを伝送する（ステップ８２７）。
【００８２】
一方、図８では前記位置更新登録タイマー情報が登録応答メッセージを介して伝送される場合について説明したが、前記端末８００がアイドルモードに進入する時、前記アイドルモード進入応答メッセージを介して前記位置更新登録タイマー情報が伝送されることもできる。
【００８３】
図８を参照して説明した実施形態で、前記基地局８４０及び前記システム制御局８５０は別途の客体として表現された。しかし、本発明の他の実施形態によって、前記基地局８４０及び前記システム制御局８５０は一つの客体に構成されることができる。すなわち、前記基地局８４０は前記システム制御局８５０に含まれることができる。この場合、前記ステップ８０９、前記ステップ８１１、前記ステップ８２３、前記ステップ８２５は前記システム制御局８５０内部のシグナリングになる。
【００８４】
また、図８を参照して説明した実施形態で、前記システム制御局８５０及び前記ページング制御局８６０は別途の客体として表現された。しかし、本発明の他の実施形態によって、前記システム制御局８５０及び前記ページング制御局８６０は一つの客体に構成されることができる。すなわち、前記ページング制御局８６０は前記システム制御局８５０に含まれることができる。この場合、前記ステップ８１５、前記ステップ８１７は前記システム制御局８５０内部のシグナリングになる。
【００８５】
以上では位置更新登録タイマー情報を端末が装置登録プロセス又はアイドルモードネゴシエーションプロセスを行う途中で制御メッセージを介して獲得する方法について説明した。他の実施形態として、前記位置更新登録タイマー情報は前記端末が機器間通信サービスに加入する時に獲得する装置クラスの一つ情報であるため、上記した別途の制御メッセージを介して端末が獲得しなくて良い場合を考慮することができる。この場合、前記端末が予め獲得して既知の位置更新登録タイマー情報をページング制御局が把握できるように、前記端末がページング制御局に前記端末の装置クラス情報を提供するシナリオを考慮することができる。このようなシナリオについて図９を参照して説明する。
【００８６】
図９は、本発明の他の実施形態による機器間通信システムのアイドルモードネゴシエーションプロセスで端末の時間ベースの位置更新登録タイマーを処理する方法を示した信号フローチャートである。
【００８７】
図９を参照すると、端末９００は基地局９４０に信号を伝送して前記基地局９４０に対して同期を獲得し（ステップ９０１）、前記基地局９４０にレンジング要求メッセージを伝送して（ステップ９０３）、前記レンジング要求メッセージを受信した基地局９４０は前記端末９００にレンジング応答メッセージを伝送する（ステップ９０５）。
【００８８】
その後、前記レンジング応答メッセージを受信した端末９００は前記基地局９４０に装置クラス情報を含むＳＢＣ要求メッセージを伝送する（ステップ９０７）。ここで、前記装置クラス情報は前記端末９００が加入した機器通信サービスの特徴、本発明ではアイドルモード特性（すなわち、位置更新登録タイマー）を含む。前記ＳＢＣ要求メッセージを受信した基地局９４０はシステム制御局９５０に前記装置クラス情報を含む端末事前登録要求メッセージを伝送する（ステップ９０９）。ここで、前記システム制御局９５０はＡＳＮゲートウェイ（ＡＳＮ−ＧＷ）であるとともに、リレイページング制御局（ｒｅｌａｙ  ＰＣ）に該当できる。
【００８９】
その後、前記端末事前登録要求メッセージを受信したシステム制御局９５０は前記基地局９４０に端末事前登録応答メッセージを伝送し（ステップ９１１）、前記端末事前登録応答メッセージを受信した基地局９４０は前記端末９００にＳＢＣ応答メッセージを伝送する（ステップ９１３）。
【００９０】
その後、前記端末９００、基地局９４０及びシステム制御局９５０は認証プロセス及び登録プロセスを行う（ステップ９１５）。その後、前記端末９００は基地局９４０及びシステム制御局９５０を介してデータ送受信動作を行う（ステップ９１７）。
【００９１】
一方、前記データ送受信動作を行っていた端末９００がアイドルモードに進入しようとする場合、前記端末９００はアイドルモード進入要求メッセージを前記基地局９４０に伝送する（ステップ９１９）。前記アイドルモード進入要求メッセージを受信した基地局９４０は前記システム制御局９５０に前記端末に対する端末アイドルモード要求メッセージを伝送する（ステップ９２１）。
【００９２】
その後、前記端末アイドルモード要求メッセージを受信したシステム制御局９５０はページング制御局９６０に前記端末９００に対するアイドルモード情報を要求する端末アイドルモード要求メッセージを伝送する（ステップ９２３）。ここで、前記端末アイドルモード要求メッセージは前記端末９００の装置クラス情報を含み、前記ページング制御局８６０はアンカーページング制御局に該当する。前記端末アイドルモード要求メッセージを受信したページング制御局９６０は前記端末９００の装置クラス情報に基づいて前記端末９００の位置更新登録タイマー情報を把握して管理し、前記システム制御局９５０に前記端末９００がアイドルモードで適用するパラメータなどの情報を含む端末アイドルモード応答メッセージを伝送する（ステップ９２５）。
【００９３】
その後、前記端末アイドルモード応答メッセージを受信したシステム制御局９５０は基地局９４０に前記アイドルモードパラメータ情報を含む端末アイドルモード応答メッセージを伝送する（ステップ９２７）。前記端末アイドルモード応答メッセージを受信した基地局９４０は端末９００に前記アイドルモードパラメータ情報を含むアイドルモード進入応答メッセージを伝送する（ステップ９２９）。
【００９４】
その後、前記アイドルモード進入応答メッセージを受信した端末９００と前記ページング制御局９６０はアイドルモードを運用しながら前記位置更新登録タイマーを適用する。
【００９５】
図９を参照して説明した実施形態で、前記基地局９４０及び前記システム制御局９５０は別途の客体として表現された。しかし、本発明の他の実施形態によって、前記基地局９４０及び前記システム制御局９５０は一つの客体に構成されることができる。すなわち、前記基地局９４０は前記システム制御局９５０に含まれることができる。この場合、前記ステップ９０９、前記ステップ９１１、前記ステップ９２１、前記ステップ９２７は前記システム制御局９５０内部のシグナリングになる。
【００９６】
また、図９を参照して説明した実施形態で、前記システム制御局９５０及び前記ページング制御局９６０は別途の客体として表現された。しかし、本発明の他の実施形態によって、前記システム制御局９５０及び前記ページング制御局９６０は一つの客体に構成されることができる。すなわち、前記ページング制御局９６０は前記システム制御局９５０に含まれることができる。この場合、前記ステップ９２３、前記ステップ９２５は前記システム制御局９５０内部のシグナリングになる。
【００９７】
図１０は、本発明のさらに他の実施形態による機器間通信システムの装置登録プロセスで端末の時間ベースの位置更新登録タイマーを処理する方法を示した信号フローチャートである。
【００９８】
図１０を参照すると、端末１０００は基地局１０４０に信号を伝送して前記基地局１０４０に対して同期を獲得し（ステップ１００１）、前記基地局１０４０にレンジング要求メッセージを伝送し（ステップ１００３）、前記レンジング要求メッセージを受信した基地局１０４０は前記端末１０００にレンジング応答メッセージを伝送する（ステップ１００５）。
【００９９】
その後、前記レンジング応答メッセージを受信した端末１０００は前記基地局１０４０に前記端末１０００の基本能力（Ｂａｓｉｃ Ｃａｐａｂｉｌｉｔｙ）をネゴシエーションするＳＢＣ要求メッセージを伝送する（ステップ１００７）。ここで前記ＳＢＣ要求メッセージは前記端末１０００の機器間通信特性を知らせる装置クラス情報を含むことができる。前記ＳＢＣ要求メッセージを受信した基地局１０４０はシステム制御局１０５０に前記端末１０００に対する端末事前登録要求メッセージを伝送する（ステップ１００９）。ここで、前記システム制御局１０５０はＡＳＮゲートウェイ（ＡＳＮ−ＧＷ）であるとともに、リレイページング制御局（ｒｅｌａｙ  ＰＣ）に該当できる。
【０１００】
その後、前記端末事前登録要求メッセージを受信したシステム制御局１０５０は前記端末１０００の機器間通信サービスを制御する機器通信サーバ１０７０にステップ１０１１で端末機器通信情報要求メッセージを伝送する。前記機器通信サーバ１０７０はステップ１０１３で前記端末１０００に対する機器通信情報を含む端末機器通信情報応答メッセージを伝送する。本発明の実施形態によって前記端末機器通信情報応答メッセージは前記端末１０００のみの位置更新登録タイマー情報を必要とする装置であるかに対する情報を含む。例えば、前記端末機器通信情報応答メッセージは装置クラスを含むことができる。
【０１０１】
前記システム制御局１０５０は前記基地局１０４０に端末事前登録応答メッセージを伝送し（ステップ１０１５）、前記端末事前登録応答メッセージを受信した基地局１０４０は前記端末１０００にＳＢＣ応答メッセージを伝送する（ステップ１０１７）。
【０１０２】
前記ＳＢＣ応答メッセージを受信した端末１０００は基地局１０４０及びシステム制御局１０５０との認証プロセスを行って（ステップ１０１９）、前記基地局１０４０に登録要求メッセージを伝送する（ステップ１０２１）。前記登録要求メッセージを受信した基地局１０４０は前記システム制御局１０５０に端末登録要求メッセージを伝送する（ステップ１０２３）。
【０１０３】
また、前記システム制御局１０５０はページング制御局１０６０に位置更新登録タイマー要求メッセージを伝送して前記端末１０００の装置クラスに適した位置更新登録タイマー情報を要求する（ステップ１０２５）。ここで、前記ページング制御局１０６０はアンカーページング制御局（ａｎｃｈｏｒ  ＰＣ）に該当する。前記位置更新登録タイマー要求メッセージを受信したページング制御局１０６０は前記システム制御局１０５０に前記端末１０００に該当する位置更新登録タイマー情報を含む位置更新登録タイマー応答メッセージを伝送する（ステップ１０２７）。
【０１０４】
前記システム制御局１０５０は前記基地局１０４０に前記端末１０００に対する位置更新登録タイマー情報を含む端末登録応答メッセージを伝送する（ステップ１０２９）。前記端末登録応答メッセージを受信した基地局１０４０は前記端末１０００に前記位置更新登録タイマー情報を含む登録応答メッセージを伝送する（ステップ１０３１）。
【０１０５】
図１０を参照して説明した実施形態で、前記基地局１０４０及び前記システム制御局１０５０は別途の客体として表現された。しかし、本発明の他の実施形態によって、前記基地局１０４０及び前記システム制御局１０５０は一つの客体に構成されることができる。すなわち、前記基地局１０４０は前記システム制御局１０５０に含まれることができる。この場合、前記ステップ１００９、前記ステップ１０１５、前記ステップ１０２３、前記ステップ１０２９は前記システム制御局１０５０内部のシグナリングになる。
【０１０６】
また、図１０を参照して説明した実施形態で、前記システム制御局１０５０及び前記ページング制御局１０６０は別途の客体として表現された。しかし、本発明の他の実施形態によって、前記システム制御局１０５０及び前記ページング制御局１０６０は一つの客体に構成されることができる。すなわち、前記ページング制御局１０６０は前記システム制御局１０５０に含まれることができる。この場合、前記ステップ１０２５、前記ステップ１０２７は前記システム制御局１０５０内部のシグナリングになる。
【０１０７】
図１１は、本発明のさらに他の実施形態による機器間通信システムのアイドルモードネゴシエーションプロセスで端末の時間ベースの位置更新登録タイマーを処理する方法を示した信号フローチャートである。
【０１０８】
図１１を参照すると、端末１１００は基地局１１４０に信号を伝送して前記基地局１１４０に対して同期を獲得し（ステップ１１０１）、前記基地局１１４０にレンジング要求メッセージを伝送し（ステップ１１０３）、前記レンジング要求メッセージを受信した基地局１１４０は前記端末１１００にレンジング応答メッセージを伝送する（ステップ１１０５）。
【０１０９】
その後、前記レンジング応答メッセージを受信した端末１１００は前記基地局１１４０にＳＢＣ要求メッセージを伝送する（ステップ１１０７）。前記ＳＢＣ要求メッセージは端末１１００が加入した機器通信サービスの特徴及び装置クラス情報を含む。前記ＳＢＣ要求メッセージを受信した基地局１１４０はシステム制御局１１５０に前記端末１１００に対する端末事前登録要求メッセージを伝送する（ステップ１１０９）。ここで、前記システム制御局１１５０はＡＳＮゲートウェイ（ＡＳＮ−ＧＷ）であるとともに、リレイページング制御局に該当する。
【０１１０】
その後、前記端末事前登録要求メッセージを受信したシステム制御局１１５０は前記端末１１００の機器間通信サービスを制御する機器通信サーバ１１７０にステップ１１１１で端末機器通信情報要求メッセージを伝送する。前記機器通信サーバ１１７０はステップ１１１３で前記端末１１００に対する機器通信情報を含む端末機器通信情報応答メッセージを伝送する。本発明の実施形態によって前記端末機器通信情報応答メッセージは前記端末１１００のみの位置更新登録タイマー情報を必要とする装置であるかに対する情報を含む。例えば、前記端末機器通信情報応答メッセージは装置クラスを含むことができる。
【０１１１】
前記システム制御局１１５０は前記基地局１１４０に端末事前登録応答メッセージを伝送し（ステップ１１１５）、前記端末事前登録応答メッセージを受信した基地局１１４０は前記端末１１００にＳＢＣ応答メッセージを伝送する（ステップ１１１７）。
【０１１２】
その後、前記端末１１００、基地局１１４０及びシステム制御局１１５０は認証プロセス及び登録プロセスを行う（ステップ１１１９）。その後、前記端末１１００は基地局１１４０及びシステム制御局１１５０を介してデータ送受信動作を行う（ステップ１１２１）。
【０１１３】
一方、前記データ送受信動作を行っていた端末１１００がアイドルモードに進入しようとする場合、前記端末１１００はアイドルモード進入要求メッセージを前記基地局１１４０に伝送する（ステップ１１２３）。前記アイドルモード進入要求メッセージを受信した基地局１１４０は前記システム制御局１１５０に前記端末に対する端末アイドルモード要求メッセージを伝送する（ステップ１１２５）。
【０１１４】
その後、前記端末アイドルモード要求メッセージを受信したシステム制御局１１５０はページング制御局１１６０に前記端末１１００に対するアイドルモード情報を要求する端末アイドルモード要求メッセージを伝送する（ステップ１１２７）。ここで、前記端末アイドルモード要求メッセージは前記端末１１００の装置クラス情報及び前記端末１１００のみの位置更新登録タイマー要求を含み、前記ページング制御局１１６０はアンカーページング制御局に該当する。前記端末アイドルモード要求メッセージを受信したページング制御局１１６０は前記端末１１００の装置クラス情報に基づいて前記端末１１００の位置更新登録タイマー情報を把握して管理し、前記システム制御局１１５０に前記端末１１００がアイドルモードで適用するパラメータなどの情報を含む端末アイドルモード応答メッセージを伝送する（ステップ１１２９）。
【０１１５】
その後、前記端末アイドルモード応答メッセージを受信したシステム制御局１１５０は基地局１１４０に前記アイドルモードパラメータ情報を含む端末アイドルモード応答メッセージを伝送する（ステップ１１３１）。前記端末アイドルモード応答メッセージを受信した基地局１１４０は端末１１００で前記アイドルモードパラメータ情報を含むアイドルモード進入応答メッセージを伝送する（ステップ１１３３）。
【０１１６】
その後、前記アイドルモード進入応答メッセージを受信した端末１１００と前記ページング制御局１１６０はアイドルモードを運用しながら前記位置更新登録タイマーを適用する。
【０１１７】
図１１を参照して説明した実施形態で、前記基地局１１４０及び前記システム制御局１１５０は別途の客体として表現された。しかし、本発明の他の実施形態によって、前記基地局１１４０及び前記システム制御局１１５０は一つの客体に構成されることができる。すなわち、前記基地局１１４０は前記システム制御局１１５０に含まれることができる。この場合、前記ステップ１１０９、前記ステップ１１１５、前記ステップ１１２５、前記ステップ１１３１は前記システム制御局１１５０内部のシグナリングになる。
【０１１８】
また、図１１を参照して説明した実施形態で、前記システム制御局１１５０及び前記ページング制御局１１６０は別途の客体として表現された。しかし、本発明の他の実施形態によって、前記システム制御局１１５０及び前記ページング制御局１１６０は一つの客体に構成されることができる。すなわち、前記ページング制御局１１６０は前記システム制御局１１５０に含まれることができる。この場合、前記ステップ１１２７、前記ステップ１１２９は前記システム制御局１１５０内部のシグナリングになる。
【０１１９】
本発明の実施形態による機器間通信システムはデータ送受信が頻繁ではない機器のアイドルモードを支援する場合を考慮し、特に長いページング周期を用いてアイドルモードを運用する端末のための新しい位置更新登録タイマーを定義することによって、一般的なアイドルモード状態の端末と同じ周期で位置更新登録プロセスを行うことを防止し、すなわち不要な位置更新登録プロセスの遂行を防止することで、位置更新登録プロセス遂行の制御シグナルオーバーヘッドと機器の電力消耗を減少させる利点がある。
【０１２０】
適切な実施形態について参照しながら本発明が説明された。しかし、当業者にとって、以下の特許請求の範囲によって定義された発明の範囲から逸脱しない限度内で形態及び具体的な内容の様々な変化が可能であることは自明である。
【符号の説明】
【０１２１】
１０１−１、１０１−２、１０１−３  Ｍ２Ｍ機器（Ｍ２Ｍ  ｄｅｖｉｃｅ）
１０２  Ｍ２Ｍ  ＡＳＮ（Ｍ２Ｍ  Ａｃｃｅｓｓ  Ｓｅｒｖｉｃｅ  Ｎｅｔｗｏｒｋ）
１０３  ＡＰ（Ａｃｃｅｓｓ  Ｐｏｉｎｔ）
１０４  Ｍ２Ｍ連結サービスネットワーク（Ｍ２Ｍ  ＣＳＮ：Ｍ２Ｍ  Ｃｏｎｎｅｃｔｉｏｎ  Ｓｅｒｖｉｃｅ  Ｎｅｔｗｏｒｋ）
１０５  サーバ（Ｍ２Ｍ  Ｓｅｒｖｅｒ）
８００  端末
８４０  基地局
８５０  システム制御局
８６０  ページング制御局
９００  端末
１０４０  基地局
１０５０  システム制御局
１０６０  ページング制御局
１０７０  機器通信サーバ
１１００  端末
１１４０  基地局
１１５０  システム制御局
１１６０  ページング制御局
１１７０  機器通信サーバ
【図１】
0006049086.tif 000006
【図２】
0006049086.tif 000007
【図３】
0006049086.tif 000008
【図４】
0006049086.tif 000009
【図５】
0006049086.tif 000010
【図６】
0006049086.tif 000011
【図７】
0006049086.tif 000012
【図８】
0006049086.tif 000013
【図９】
0006049086.tif 000014
【図１０】
0006049086.tif 000015
【図１１】
0006049086.tif 000016